(57)【要約】【課題】マルチモード対応端末の現在地が複数のシステムと接続可能な場合、動作状態に応じて最適な通信システムを選択することで低消費電力化を可能とし、長時間通話、長時間待ち受けを実現すること。【解決手段】通信端末装置１００は、ＲＦ送受信部１０２，１０３，１０６，１０７，１１０，１１１、ベースバンド信号処理部１０４，１０８，１１２及び呼制御部の消費電力が記録された電力値管理テーブル１１５と、電力値管理テーブル１１５を参照して接続可能な無線ネットワークの中から最も低消費電力で通信可能な無線ネットワークを選択するＰＭＵ１１４と、選択した無線ネットワークへシステムハンドオーバ要求を基地局に報知する通信制御部１１３とを備える。【選択図】図１
2008011452.tif 000002
【特許請求の範囲】
【請求項１】
無線通信規格の異なる複数の無線ネットワークに接続可能なマルチモード対応の通信端末装置であって、
複数の無線ネットワークのキャリア周波数をベースバンド信号に復調するＲＦ受信部と、
ベースバンド信号を接続している無線ネットワークのキャリア周波数に変調するＲＦ送信部と、
複数の無線通信規格に応じて受信情報信号のベースバンド信号処理を行うベースバンド信号処理部と、
通信処理に応じた所定の条件におけるＲＦ送受信部、ベースバンド信号処理部及び呼制御部の消費電力が記録された電力値管理テーブルと、
前記電力値管理テーブルを参照して接続可能な無線ネットワークの中から最も低消費電力で通信可能な無線ネットワークを選択するパワーマネジメントユニットと、
前記パワーマネジメントユニットが選択した無線ネットワークへシステムハンドオーバ要求を基地局に報知する通信制御部と
を備えることを特徴とする通信端末装置。
【請求項２】
前記電力値管理テーブルは、各無線処理部の待ち受け時の電力、各無線処理部の音声通話時の電力、又は各無線処理部のパケット通信時の通信速度と電力、の少なくともいずれか一つを管理することを特徴とする請求項１記載の通信端末装置。
【請求項３】
前記電力値管理テーブルは、送信電力制御を行う通信規格において基地局との距離に応じて変動するＲＦ送信部の消費電力を管理することを特徴とする請求項１記載の通信端末装置。
【請求項４】
前記電力値管理テーブルは、管理パラメータとして、Ｗ−ＣＤＭＡ／ＧＳＭ／ＰＤＣなどの無線通信規格毎のＲＦ受信部、ベースバンド信号処理部及び呼制御部における平均消費電力を有することを特徴とする請求項１記載の通信端末装置。
【請求項５】
前記電力値管理テーブルは、管理パラメータとして、各方式の間欠受信周期毎のＲＦ受信部、ベースバンド信号処理部及び呼制御部における平均消費電力を有することを特徴とする請求項１記載の通信端末装置。
【請求項６】
前記電力値管理テーブルは、管理パラメータとして、無線通信規格毎の音声符号化方式に応じて消費する音声通話時の平均消費電力を有することを特徴とする請求項１記載の通信端末装置。
【請求項７】
前記電力値管理テーブルは、管理パラメータとして、無線通信規格毎のパケット通信方式と通信速度に応じて消費する音声通話時の平均消費電力を有することを特徴とする請求項１記載の通信端末装置。
【請求項８】
前記パワーマネジメントユニットは、待ち受け時、音声通話時、又はパケット通信時の各通信モードに応じて、受信性能を満足する接続可能な無線ネットワークの中から、最も低消費電力で通信可能な無線ネットワークを選択することを特徴とする請求項１記載の通信端末装置。
【請求項９】
無線通信規格の異なる複数の無線ネットワークに接続可能なマルチモード対応の通信端末装置の通信方法であって、
通信処理に応じた所定の条件におけるＲＦ送受信部、ベースバンド信号処理部及び呼制御部の消費電力が記録された電力値管理テーブルを設定するテーブル設定ステップと、
前記電力値管理テーブルを参照して接続可能な無線ネットワークの中から最も低消費電力で通信可能な無線ネットワークを選択する無線ネットワーク選択ステップと、
選択した無線ネットワークへシステムハンドオーバ要求を基地局に報知するステップと
を有することを特徴とする通信方法。
【請求項１０】
前記テーブル設定ステップでは、管理パラメータとして、Ｗ−ＣＤＭＡ／ＧＳＭ／ＰＤＣなどの無線通信規格毎のＲＦ受信部、ベースバンド信号処理部及び呼制御部における平均消費電力を有する電力値管理テーブルを設定するとともに、送信電力制御を行う通信規格において基地局との距離に応じて変動するＲＦ送信部の消費電力を管理し、
前記無線ネットワーク選択ステップでは、前記無線通信規格毎の平均消費電力と、前記ＲＦ送信部の消費電力とを比較して、受信性能を満足する接続可能な無線ネットワークの中から、最も低消費電力で通信可能な無線ネットワークを選択することを特徴とする請求項９記載の通信方法。
【発明の詳細な説明】
【技術分野】
【０００１】
本発明は、無線通信規格の異なる複数の無線ネットワークに接続可能なマルチモード対応の携帯電話機などの通信端末装置及び通信方法に関する。
【背景技術】
【０００２】
二つ以上のシステムへのアクセスを可能とするマルチモード無線受信装置には、例えば、デュアルモード（Dual-Mode）携帯電話やマルチモード携帯電話がある。
【０００３】
移動体通信の発展に伴い、世界では規格の異なる複数の無線通信システムが運用されている。特に近年では、従来の第２世代携帯電話サービスと呼ばれるＧＳＭ（The Global System for Mobile Communications）方式、ＰＤＣ（Personal Digital Cellular）方式等に加え、第３世代携帯電話サービスと呼ばれるＷ−ＣＤＭＡ（Wideband-Code Division Multiple Access）方式やＣｄｍａ２０００方式が実用化されて、同一地域内でも複数の無線通信システムが運用されるようになった。
【０００４】
このような背景の中で、同一端末で複数の無線通信システムに接続可能なマルチモード対応端末への要望が高まってきている。
【０００５】
携帯電話をマルチモード対応にすることによって、無線通信システムの異なる地域においても同一の端末で通信が可能となるため、利便性が向上する。また、複数の無線通信システムが混在する地域においては、例えばシステム間の受信電界レベル（ＲＳＳＩ）を測定することにより、より最適なシステムに乗り換えるシステム間ハンドオーバを行うことで、呼を切断することなく安定して通信を行うことが可能となる。
【０００６】
しかし、マルチモード対応端末は、複数の無線通信システムと接続可能な構成とするため、回路規模がモードの数に比例して増大する上、システム間ハンドオーバや、システム間ハンドオーバを実現するための各通信モードの受信レベル測定など、シングルモード端末に比べて必要な処理が増大するため、シングルモード端末と比較して消費電力が大きくバッテリ時間の長大化が困難であるという課題があった。
【０００７】
この問題に対処するため、例えば特許文献１では、待ち受け時において、電池電圧が低減して所定値に達した場合に、消費電流のより小さい通信システムに切り替えて携帯電話の長時間待ち受けを実現する技術が開示されている。
【特許文献１】特開平１１−２５２００６号公報
【発明の開示】
【発明が解決しようとする課題】
【０００８】
しかしながら、このような従来の通信装置にあっては、電池電圧が低減した際の待ち受け時間の長大化の手法について提案がされているものの、電池電圧が十分確保されている時の動作、例えば、呼接続、通信アプリケーションに応じて複数接続可能な通信システムの中からどの通信システムを選択すれば最も低消費電力となるかの解決方法については述べられていない。
【０００９】
本発明はかかる点に鑑みてなされたもので、マルチモード対応端末において、その端末の現在地が複数のシステムと接続可能な場合、動作状態に応じて最適な通信システムを選択することで低消費電力化を可能とし、長時間通話、長時間待ち受けを実現する通信端末装置及び通信方法を提供することである。
【課題を解決するための手段】
【００１０】
本発明の通信端末装置は、無線通信規格の異なる複数の無線ネットワークに接続可能なマルチモード対応の通信端末装置であって、複数の無線ネットワークのキャリア周波数をベースバンド信号に復調するＲＦ受信部と、ベースバンド信号を接続している無線ネットワークのキャリア周波数に変調するＲＦ送信部と、複数の無線通信規格に応じて受信情報信号のベースバンド信号処理を行うベースバンド信号処理部と、通信処理に応じた所定の条件におけるＲＦ送受信部、ベースバンド信号処理部及び呼制御部の消費電力が記録された電力値管理テーブルと、前記電力値管理テーブルを参照して接続可能な無線ネットワークの中から最も低消費電力で通信可能な無線ネットワークを選択するパワーマネジメントユニットと、前記パワーマネジメントユニットが選択した無線ネットワークへシステムハンドオーバ要求を基地局に報知する通信制御部とを備える構成を採る。
【００１１】
本発明の通信方法は、無線通信規格の異なる複数の無線ネットワークに接続可能なマルチモード対応の通信端末装置の通信方法であって、通信処理に応じた所定の条件におけるＲＦ送受信部、ベースバンド信号処理部及び呼制御部の消費電力が記録された電力値管理テーブルを設定するテーブル設定ステップと、前記電力値管理テーブルを参照して接続可能な無線ネットワークの中から最も低消費電力で通信可能な無線ネットワークを選択する無線ネットワーク選択ステップと、選択した無線ネットワークへシステムハンドオーバ要求を基地局に報知するステップとを有する。
【発明の効果】
【００１２】
本発明によれば、通信に必要なデータの処理量や受信レベルに応じて、常に最も低消費電力となるシステムを利用しながら通信を行うことができるため、通信端末装置の低消費電力化を可能とし、携帯電話機などの通信端末装置の長時間待ち受け、長時間通信に効果がある。
【発明を実施するための最良の形態】
【００１３】
以下、本発明の実施の形態について、図面を参照して詳細に説明する。
【００１４】
（実施の形態１）
図１は、本発明の実施の形態１に係る通信端末装置の構成を示すブロック図である。本実施の形態は、通信端末装置としてマルチモード携帯電話機に適用した例である。
【００１５】
図１において、通信端末装置１００は、無線通信規格の異なる複数の無線ネットワークに接続可能なマルチモード対応の携帯電話機であり、通信端末装置１００は、アンテナ１０１，１０５，１０９と、複数の無線ネットワークのキャリア周波数をベースバンド信号に復調するＲＦ受信部１０２，１０６，１１０と、ベースバンド信号を接続している無線ネットワークのキャリア周波数に変調するＲＦ送信部１０３，１０７，１１１と、複数の無線通信規格に応じて受信情報信号のベースバンド信号処理を行うベースバンド信号処理部１０４，１０８，１１２と、通信処理に応じた所定の条件におけるＲＦ送受信部１０２，１０３，１０６，１０７，１１０，１１１、ベースバンド信号処理部１０４，１０８，１１２及び呼制御部の消費電力が記録された電力値管理テーブル１１５と、電力値管理テーブル１１５を参照して接続可能な無線ネットワークの中から最も低消費電力で通信可能な無線ネットワークを選択するパワーマネジメントユニット（以後、ＰＭＵと記載する）１１４と、ＰＭＵ１１４が選択した無線ネットワークへシステムハンドオーバ要求を基地局に報知する通信制御部１１３と、各種アプリケーションプログラムを実行するアプリケーション処理部１１６とを備えて構成される。
【００１６】
通信制御部１１３は、ベースバンド信号処理部１０４，１０８，１１２及びＰＭＵ１１４、アプリケーション処理部１１６とのインターフェースを持ち、接続している通信システムの通信制御を行う。
【００１７】
電力値管理テーブル１１５は、各無線処理部の待ち受け時の電力を管理し、管理パラメータとしてＷ−ＣＤＭＡ／ＧＳＭ／ＰＤＣなどの無線通信規格毎のＲＦ受信部１０２，１０６，１１０及びベースバンド信号処理部１０４，１０８，１１２が、間欠復帰時間に応じて消費する平均消費電力と、送信電力制御を行う通信規格において基地局との距離に応じて変動するＲＦ送信部１０３，１０７，１１１の消費電力を管理する。
【００１８】
以下、上述のように構成された通信端末装置の動作について説明する。
【００１９】
本実施の形態に係る通信端末装置が、システムＡ、システムＢ、システムＣの３つの異なる無線通信システムに対応している場合には、図１の通信端末装置１００は、以下の動作となる。
【００２０】
システムＡにおいて送受信を行う場合は、システムＡ用のアンテナ１０１と、アンテナ１０１で受信したキャリア周波数をベースバンド信号に復調するシステムＡ用のＲＦ受信部１０２と、ベースバンド信号をシステムＡのキャリア周波数に変調するシステムＡ用のＲＦ送信部１０３と、システムＡ用の情報信号のベースバンド信号処理を行うベースバンド信号処理部１０４が動作する。同様に、システムＢにおいて送受信を行う場合は、システムＢ用のアンテナ１０５と、アンテナ１０５で受信したキャリア周波数をベースバンド信号に復調するシステムＢ用のＲＦ受信部１０６と、ベースバンド信号をシステムＢのキャリア周波数に変調するシステムＢ用のＲＦ送信部１０７と、システムＢ用の情報信号のベースバンド信号処理を行うベースバンド信号処理部１０８が動作し、またシステムＣにおいて送受信を行う場合は、システムＣ用のアンテナ１０９と、アンテナ１０９で受信したキャリア周波数をベースバンド信号に復調するシステムＣ用のＲＦ受信部１１０と、ベースバンド信号をシステムＣのキャリア周波数に変調するシステムＣ用のＲＦ送信部１１１と、システムＣ用の情報信号のベースバンド信号処理を行うベースバンド信号処理部１１２が動作する。この場合、接続をしないシステムにかかるブロックについては、電源電圧を降圧するか遮断することで端末の低消費電力化を図ることも可能である。
【００２１】
電力値管理テーブル１１５には、システムＡ〜ＣのＲＦ受信部１０２，１０６，１１０と、ＲＦ送信部１０３，１０７，１１１と、ベースバンド信号処理部１０４，１０８，１１２の待ち受け時の電力が記録される。ここで、電力値管理テーブル１１５に記録される各消費電力は、設計時の見積もり値か、出荷検査における測定値を記録しておくのが望ましいが、必ずしも消費電力の絶対値である必要はなく、管理パラメータ毎の相対値で消費電力の大小関係がわかれば十分である。
【００２２】
本実施の形態の電力値管理テーブル１１５は、ＲＦ送受信部及びベースバンド信号処理部及び呼制御部の消費電力が記録された電力値管理テーブルであり、各無線処理部の待ち受け時の電力を管理している。管理パラメータとしては、第１には、Ｗ−ＣＤＭＡ／ＧＳＭ／ＰＤＣなどの無線通信規格毎のＲＦ受信部、ベースバンド信号処理部及び呼制御部における平均消費電力がある。第２には、各方式の間欠受信周期毎のＲＦ受信部、ベースバンド信号処理部及び呼制御部における平均消費電力がある。第３には、基地局との距離に応じたＲＦ送信部における消費電力がある。第１及び第２のパラメータによる電力値管理によれば、無線通信規格毎の受信平均電流を間欠受信周期毎に細分化して管理することが可能である。第３のパラメータによる電力値管理によれば、ＣＤＭＡ方式の通信規格では送信電力制御を行うため基地局との距離に応じてＲＦ送信部の消費電力が変動するが、その変動も含めて管理することが可能である。
【００２３】
図２は、上記電力値管理テーブル１１５の管理内容の一例を示す図である。
【００２４】
図２において、管理パラメータは、無線システム種別、間欠受信周期、及び基地局との距離である。無線システムは、規格上間欠受信周期が通常複数の中から選択できるようになっており、事業者によってその周期は決められ、携帯端末は無線ネットワークからの指示に従って動作する。間欠受信周期は、長くなるほど待機状態が相対的に長くなるので平均消費電力は小さくなる。そこで、各無線システムの間欠受信周期毎に消費電力を管理しておく必要がある。また、ＣＤＭＡ方式の無線システムでは、送信電力制御を行うため、基地局との距離によって、送信電力が異なり、基地局との距離が遠くなるほど、ＲＦ送信部の消費電力が増大する傾向にある。そこで、ＣＤＭＡ方式の無線システムにおいては基地局との距離を管理パラメータとして、消費電力を管理しておく必要がある。図２では、例としてシステムＡがＣＤＭＡ方式の無線システムである場合を想定している。そして、これらの管理パラメータに応じて、各ブロックの消費電力と、その合計値及び、合計値の相対順位を記録している。図２では、ブロック毎の消費電力を記載しているが、ブロック毎の消費電力は必ずしも必要ではなく、消費電力の合計値又は相対順位がわかっていればよい。
【００２５】
図１に戻って、ＰＭＵ１１４では、現在接続中の無線システムの状態と、接続可能な無線システムの状態が通信制御部１１３から報知され、電力値管理テーブル１１５の情報を基にどの無線システムで待ち受けを行うのが最も低消費電力化になるかを判断し、通信制御部１１３に報知する。例えば、システムＢに接続中の場合で、システムＡへも接続可能である場合、前記電力値管理テーブル１１５に従えば、システムＡで待ち受けをした方がより低消費電力になることがわかる。そこで、ＰＭＵ１１４ではシステムＡで待ち受けをした方がより低消費電力になることを通信制御部１１３に報知する。
【００２６】
通信制御部１１３では、ＰＭＵ１１４からの報知情報を基に接続している無線システムの基地局に対してシステムＡで待ち受けをした方がより低消費電力になることを報知する。基地局では携帯端末からの情報を基に、携帯端末に対して、システムＢからシステムＡへのシステムハンドオーバ要求を出す。
【００２７】
このようにして、最も低消費電力で通信可能な無線ネットワークを選択することが可能となり、選択した無線ネットワークへシステムハンドオーバを行うことで、携帯電話の低消費電力化を可能とし、携帯電話の長時間待ち受けを達成することができる。
【００２８】
以上詳細に説明したように、本実施の形態によれば、通信端末装置１００は、ＲＦ送受信部１０２，１０３，１０６，１０７，１１０，１１１、ベースバンド信号処理部１０４，１０８，１１２及び呼制御部の消費電力が記録された電力値管理テーブル１１５と、電力値管理テーブル１１５を参照して接続可能な無線ネットワークの中から最も低消費電力で通信可能な無線ネットワークを選択するＰＭＵ１１４と、選択した無線ネットワークへシステムハンドオーバ要求を基地局に報知する通信制御部１１３とを備えて構成したので、無線通信端末１００が受信性能を満足する複数の無線ネットワークに接続可能な状態の時、電力値管理テーブル１１５を参照することで、最も低消費電力で通信可能な無線ネットワークを選択することが可能となる。選択した無線ネットワークへシステムハンドオーバを行うことで、例えば携帯電話機などの低消費電力化を可能とし、携帯電話機の長時間待ち受けを達成することができる。
【００２９】
特に、本実施の形態では、電池電圧が十分確保されている時の動作、例えば、呼接続、通信アプリケーションに応じて複数接続可能な通信システムの中から、最も低消費電力で通信可能な無線ネットワークを選択することができるという優れた効果がある。
【００３０】
また、本実施の形態では、電力値管理テーブル１１５は、各無線処理部の待ち受け時の電力を管理しているので、待ち受け時の各通信モードに応じて、最も低消費電力で通信可能な無線ネットワークを選択することができる。
【００３１】
（実施の形態２）
実施の形態２は、各無線処理部の音声通話時の電力を管理する電力値管理テーブルを用いる例である。
【００３２】
図３は、本発明の実施の形態２に係る通信端末装置の電力値管理テーブル２００の管理内容の一例を示す図である。本実施の形態に係る通信端末装置の全体構成は、図１と同様であるため説明を省略する。すなわち、本実施の形態の電力値管理テーブル２００は、図１の電力値管理テーブル１１５に代えて適用される。
【００３３】
図３において、電力値管理テーブル２００は、各無線処理部の音声通話時の電力を管理しており、管理パラメータとして、ＲＦ受信部及びベースバンド信号処理部及び通信制御部が、Ｗ−ＣＤＭＡ／ＧＳＭ／ＰＤＣなどの無線通信規格毎の音声符号化方式に応じて消費する音声通話時の平均消費電力と、送信電力制御を行う通信規格において基地局との距離に応じて変動するＲＦ送信部の消費電力を管理する。
【００３４】
具体的には、電力値管理テーブル２００は、システムＡ〜ＣのＲＦ受信部１０２，１０６，１１０と、ＲＦ送信部１０３，１０７，１１１と、ベースバンド信号処理部１０４，１０８，１１２の音声通話時の電力が記録される。管理パラメータは、無線システム種別、音声符号化方式、基地局との距離である。音声符号化方式は無線システム毎に異なり、また１つの無線システムの中でも複数の音声符号化方式又はビットレートが選択できるような場合は、通信環境に応じて無線ネットワークからの指示を受け、その中の１つを選択して動作する。そして、これらの管理パラメータに応じて、各ブロックの消費電力と、その合計値及び、合計値の相対順位を記録している。図３では、ブロック毎の消費電力を記載しているが、ブロック毎の消費電力は必ずしも必要ではなく、消費電力の合計値又は相対順位がわかっていればよい。
【００３５】
上記電力値管理テーブル２００を備える通信端末装置は、以下の通信動作を行う。
【００３６】
図１において、ＰＭＵ１１４では、現在接続中の無線システムの状態と、接続可能な無線システムの状態が通信制御部１１３から報知され、電力値管理テーブル２００の情報を基にどの無線システムで音声通話を行うのが最も低消費電力化になるかを判断し、通信制御部１１３に報知する。例えば、システムＢに接続中の場合で、システムＡへも接続可能である場合、前記電力値管理テーブル２００に従えば、システムＡで音声通話をした方がより低消費電力になることがわかる。そこで、ＰＭＵ１１４ではシステムＡで音声通話をした方がより低消費電力になることを通信制御部１１３に報知する。
【００３７】
通信制御部１１３では、ＰＭＵ１１４からの報知情報を基に接続している無線システムの基地局に対してシステムＡで音声通話をした方がより低消費電力になることを報知する。基地局では携帯端末からの情報をもとに、携帯端末に対して、システムＢからシステムＡへのシステムハンドオーバ要求を出す。
【００３８】
このようにして、最も低消費電力で通信可能な無線ネットワークを選択することが可能となり、選択した無線ネットワークへシステムハンドオーバを行うことで、携帯電話の低消費電力化を可能とし、携帯電話の長時間通話を達成することができる。
【００３９】
このように、実施の形態２によれば、電力値管理テーブル２００は、音声通話時の電力を管理し、管理パラメータとして、ＲＦ受信部、ベースバンド信号処理部及び通信制御部が、Ｗ−ＣＤＭＡ／ＧＳＭ／ＰＤＣなどの無線通信規格毎の音声符号化方式に応じて消費する音声通話時の平均消費電力と、送信電力制御を行う通信規格において基地局との距離に応じて変動するＲＦ送信部の消費電力とを管理する。これにより、無線通信端末が受信性能を満足する複数の無線ネットワークに接続可能な状態の時、電力値管理テーブル２００を参照することで、最も低消費電力で音声通話可能な無線ネットワークを選択することが可能となり、選択した無線ネットワークへシステムハンドオーバを行うことで、携帯電話の低消費電力化を可能とし、携帯電話の長時間通話を達成することができる。
【００４０】
（実施の形態３）
実施の形態３は、各無線処理部のパケット通信時の通信速度と電力を管理する電力値管理テーブルを用いる例である。
【００４１】
図４は、本発明の実施の形態３に係る通信端末装置の電力値管理テーブルを設定する処理量の推移（以下、この推移を電力値管理テーブル３００という）を示す図である。本実施の形態に係る通信端末装置の全体構成は、図１と同様であるため説明を省略する。
【００４２】
図４において、電力値管理テーブル３００は、各無線処理部のパケット通信時の通信速度と電力を管理しており、管理パラメータとして、ＲＦ受信部及びベースバンド信号処理部及び通信制御部が、Ｗ−ＣＤＭＡ／ＧＳＭ／ＰＤＣなどの無線通信規格毎のパケット通信方式と通信速度に応じて消費する音声通話時の平均消費電力と、送信電力制御を行う通信規格において基地局との距離に応じて変動するＲＦ送信部の消費電力を管理する。
【００４３】
図４に示すように、電力値管理テーブル３００は、管理パラメータとして、無線システム種別毎のパケット通信方式の処理量をとっており、処理量の順に並べたものである。
【００４４】
ＰＭＵ１１４では、パケット通信に必要な処理量と、現在接続中の無線システムの状態と、接続可能な無線システムの状態が通信制御部１１３から報知され、電力値管理テーブル３００の情報を基にパケット通信に必要な処理量を満足する中で、どの無線システムでパケット通信を行うのが最も低消費電力化になるかを判断し、通信制御部１１３に報知する。例えば、システムＡの高速パケット通信で接続中の場合で、システムＢへも接続可能である場合、パケット通信に必要な処理量がシステムＡ程必要でない時、前記電力値管理テーブル３００に従えば、システムＢのパケット通信に切り替えれば、通信に必要な処理量を満足し、且つ最も低消費電力となるモードとなることがわかる。そこで、ＰＭＵ１１４ではシステムＢのパケット通信に切り替えた方がより低消費電力になることを通信制御部１１３に報知する。
【００４５】
通信制御部１１３では、ＰＭＵ１１４からの報知情報を基に接続している無線システムの基地局に対してシステムＢのパケット通信に切り替えた方がより低消費電力になることを報知する。基地局では携帯端末からの情報をもとに、携帯端末に対して、システムＢからシステムＡへのシステムハンドオーバ要求を出す。
【００４６】
このようにして、最も低消費電力で通信可能な無線ネットワークを選択することが可能となり、選択した無線ネットワークへシステムハンドオーバを行うことで、携帯電話の低消費電力化を可能とし、携帯電話の長時間通信を達成することができる。
【００４７】
このように、実施の形態３によれば、電力値管理テーブル３００は、パケット通信時の電力を管理し、管理パラメータとして、ＲＦ受信部及びベースバンド信号処理部及び通信制御部が、Ｗ−ＣＤＭＡ／ＧＳＭ／ＰＤＣなどの無線通信規格毎のパケット通信方式と通信速度に応じて消費する音声通話時の平均消費電力と、送信電力制御を行う通信規格において基地局との距離に応じて変動するＲＦ送信部の消費電力を管理する。これにより、無線通信端末が受信性能を満足する複数の無線ネットワークに接続可能な状態の時、電力値管理テーブル３００を参照することで、最も低消費電力でパケット通信可能な無線ネットワークを選択することが可能となり、選択した無線ネットワークへシステムハンドオーバを行うことで、携帯電話機などの通信端末装置の低消費電力化を可能とし、携帯電話機の長時間通信を達成することができる。
【００４８】
（実施の形態４）
実施の形態４は、実施の形態１〜３の電力値管理テーブルを全部又はいくつかを組合わせて用いる例である。
【００４９】
図５は、本発明の実施の形態４に係る通信端末装置の時間軸上の動作を説明する図である。
【００５０】
本実施の形態の通信端末装置は、図２の電力値管理テーブル１１５、図３の電力値管理テーブル２００、図４の電力値管理テーブル３００の全部又はいくつかを組み合わせて構成された電力値管理テーブルを備え、ＰＭＵ１１４は、待ち受け時、音声通話時、パケット通信時の各通信モードに応じて、受信性能を満足する接続可能な無線ネットワークの中から、最も低消費電力で通信可能な無線ネットワークを選択する。
【００５１】
図５を参照して電力管理動作を具体的に説明する。横軸は時間を、縦軸は各無線システムで待ち受け、音声通話、パケット通信をした場合の消費電力を示す。
【００５２】
時間軸上で待ち受けから音声通話に移行し、その後パケット通信に切り替わったことを想定したものである。
【００５３】
本実施の形態では、実施の形態１〜３の電力値管理テーブル１１５,２００,３００をすべて実装した場合の例である。本実施の形態によれば、システムＡ〜Ｃのどの無線システムへの接続可能である場合、待ち受け時、音声通話時、パケット時のそれぞれで消費電力が最適となるようにシステムハンドオーバ（Ｈ．Ｏ）していくことが可能である。
【００５４】
したがって、実施の形態４によれば、無線通信端末が受信性能を満足する複数の無線ネットワークに接続可能な状態の時、電力値管理テーブルを参照することで、待ち受け時、音声通話時、パケット通信時の各通信モードに応じて、受信性能を満足する接続可能な無線ネットワークの中から、最も低消費電力で通信可能な無線ネットワークを選択することが可能となり、選択した無線ネットワークへシステムハンドオーバを行うことで、携帯電話機などの無線通信端末の低消費電力化を可能とし、携帯電話機の長時間通信を達成することができる。
【００５５】
以上の説明は本発明の好適な実施の形態の例証であり、本発明の範囲はこれに限定されることはない。
【００５６】
また、上記各実施の形態では、Ｗ−ＣＤＭＡ／ＧＳＭ／ＰＤＣなどの無線通信規格毎のＲＦ受信部に対応したマルチモード対応の携帯電話機について説明したが、これは一例であって複数の通信方式による通信を行うものであればどのような装置にも適用可能であり、通信方式の種類・数は限定されない。
【００５７】
また、上記実施の形態では、マルチモード対応の携帯電話機という名称を用いたが、これは説明の便宜上であり、マルチモード無線通信装置、通信端末装置、無線通信方法等でもよいことは勿論である。
【００５８】
また、上記マルチモード対応の携帯電話機を構成する各回路部の種類、数及び接続方法などは前述した実施の形態に限られない。
【産業上の利用可能性】
【００５９】
本発明に係る通信端末装置及び通信方法は、動作時間の長寿命化が求められるマルチモード対応携帯電話機に有用である。
【図面の簡単な説明】
【００６０】
【図１】本発明の実施の形態１に係る通信端末装置の構成を示すブロック図
【図２】上記実施の形態に係る通信端末装置の電力値管理テーブルの管理内容の一例を示す図
【図３】本発明の実施の形態２に係る通信端末装置の電力値管理テーブルの管理内容の一例を示す図
【図４】本発明の実施の形態３に係る通信端末装置の電力値管理テーブルを設定する処理量の推移を示す図
【図５】本発明の実施の形態４に係る通信端末装置の時間軸上の動作を説明する図
【符号の説明】
【００６１】
１００  通信端末装置
１０１  無線システムＡ用アンテナ
１０２  無線システムＡ用ＲＦ受信部
１０３  無線システムＡ用ＲＦ送信部
１０４  無線システムＡ用ベースバンド信号処理部
１０５  無線システムＢ用アンテナ
１０６  無線システムＢ用ＲＦ受信部
１０７  無線システムＢ用ＲＦ送信部
１０８  無線システムＢ用ベースバンド信号処理部
１０９  無線システムＣ用アンテナ
１１０  無線システムＣ用ＲＦ受信部
１１１  無線システムＣ用ＲＦ送信部
１１２  無線システムＣ用ベースバンド信号処理部
１１３  通信制御部
１１４  パワーマネジメントユニット（ＰＭＵ）
１１５，２００，３００  電力値管理テーブル
１１６  アプリケーション処理部
【図１】
2008011452.tif 000003
【図２】
2008011452.tif 000004
【図３】
2008011452.tif 000005
【図４】
2008011452.tif 000006
【図５】
2008011452.tif 000007